(57)【要約】      （修正有）【課題】既設杭の打設位置が不正確でも、それらの杭群を利用して桟橋を再構築する方法を提供する。【解決手段】既設の矢板壁１の頭部に設置したプレキャスト型枠内にコンクリートを打設して一体化して形成した矢板頭ブロック８と、矢板壁１と対向する位置にある既設の支持杭３の頭部に設置した型枠内にコンクリートを打設して形成した杭頭ブロック９と、矢板頭ブロック８と杭頭ブロック９の間に設置して、ＰＣ鋼線Ｐを緊張して一体化したプレキャスト梁１０と、それらの矢板頭ブロック８と杭頭ブロック９とプレキャスト梁１０の上に設置したプレキャスト床版とより桟橋を構成し再構築する。【選択図】図５
2014167216.tif 000002
【特許請求の範囲】
【請求項１】
既設の矢板壁の頭部にプレキャスト型枠を設置し、
型枠内にコンクリートを打設して矢板壁の頭部を一体化した矢板頭ブロックを形成し、
一方前記の矢板壁と対向する位置にある既設の支持杭の頭部にも独立したプレキャスト型枠を設置し、
型枠内にコンクリートを打設して杭の頭部に杭頭ブロックを形成し、
矢板頭ブロックと杭頭ブロックの間にプレキャスト梁を設置し、
矢板頭ブロック、杭頭ブロックと、プレキャスト梁との間に配置したＰＣ鋼線を緊張して一体化し、
その後に矢板頭ブロックと杭頭ブロックの上に、プレキャスト床版を設置して行うことを特徴とする、
桟橋の再構築方法。
【請求項２】
既設の矢板壁の頭部に設置したプレキャスト型枠内にコンクリートを打設して一体化して形成した矢板頭ブロックと、
前記の矢板壁と対向する位置にある既設の支持杭の頭部に設置した型枠内にコンクリートを打設して形成した杭頭ブロックと、
矢板頭ブロックと杭頭ブロックの間に設置して、ＰＣ鋼線を緊張して一体化したプレキャスト梁と、
それらの矢板頭ブロックと杭頭ブロックとプレキャスト梁の上に設置したプレキャスト床版とより構成したことを特徴とする、
桟橋の構造。
【発明の詳細な説明】
【技術分野】
【０００１】
本発明は桟橋の構造と再構築方法に関するものである。
特に本発明の対象は、岸壁に沿って鋼管などを打設した矢板壁がすでに構築してある場合であって、その矢板壁に支持力を得て構築した桟橋を再構築する方法、あるいは桟橋の構造に関するものである。
【背景技術】
【０００２】
全国の港湾の既設桟橋が構築から３０年以上経過しているために塩害などによるコンクリートの劣化が著しく、特に震災の可能性の高い近時は、早急な架け替えが望まれている。
しかし既存桟橋の架け替えは、すでに海底に打設してある既存の杭をそのまま利用する必要があり、工期の制限や潮位変化への対応など、多くの制約がある。
そのために、それらの要求に対応した新たな技術が求められている。
【先行技術文献】
【特許文献】
【０００３】
【特許文献１】特開２０００−２４８５２６号公報
【発明の概要】
【発明が解決しようとする課題】
【０００４】
前記したような従来の桟橋の改修方法にあっては、次のような問題点がある。
＜１＞  桟橋を新設する施工の場合には、海水を締切して施工することが一般的である。しかし既存桟橋の再構築工法の場合には、桟橋の供用を維持しながらの部分的施工となるために、海水を締め切ることができない。
＜２＞  このために満干の潮位の変化を受けながら行う、拘束の多い施工となるために、現地での鉄筋の配置、型枠の設置、コンクリート打設などの作業が不可能であるか、困難である。
＜３＞  すでに打設してある既存の杭をそのまま利用して上部工のみの施工となるが、一般に既存杭の打設位置の誤差が大きく、これを前提とした上部工の施工を行わなければならない。
＜４＞  既存桟橋を供用しながらの再構築工事となるために、工期に制約があり、できるだけ迅速な施工が求められている。
【課題を解決するための手段】
【０００５】
上記のような課題を解決する本発明の桟橋の再構築方法は、既設の矢板壁の頭部にブラケットを取り付け、このブラケットを介して、プレキャスト型枠を設置し、型枠内にコンクリートを打設して矢板壁の頭部を一体化した矢板頭ブロックを形成し、一方前記の矢板壁と対向する位置にある既設の支持杭の頭部にもブラケットを介して独立したプレキャスト型枠を設置し、型枠内にコンクリートを打設して杭の頭部に杭頭ブロックを形成し、矢板頭ブロックと杭頭ブロックの間にプレキャスト梁を設置し、矢板頭ブロック、杭頭ブロックと、プレキャスト梁との間に配置したＰＣ鋼線を緊張して一体化し、その後に矢板頭ブロックと杭頭ブロックの上に、プレキャスト床版を設置して行うことを特徴とする。
また本発明の桟橋の構造は、既設の矢板壁の頭部に設置したプレキャスト型枠内にコンクリートを打設して一体化して形成した矢板頭ブロックと、前記の矢板壁と対向する位置にある既設の支持杭の頭部に設置した型枠内にコンクリートを打設して形成した杭頭ブロックと、矢板頭ブロックと杭頭ブロックの間に設置して、ＰＣ鋼線を緊張して一体化したプレキャスト梁と、それらの矢板頭ブロックと杭頭ブロックとプレキャスト梁の上に設置したプレキャスト床版とより構成したことを特徴とする。
【発明の効果】
【０００６】
本発明の桟橋の構造と再構築方法は以上説明したようになるから次のような効果の少なくともひとつを得ることができる。
＜１＞  既設の杭は必ずしも正確な位置に打設されているとは限らず、位置の誤差が大きい場合もある。このような実情を前提として、杭頭の位置の誤差が存在しても、それらの矢板壁を利用して桟橋の再構築が可能である。
＜２＞  現場打設のコンクリートと、プレキャストコンクリートとを併用するので、迅速な工事を行うことができ、供用中の桟橋を全面的に早期に開放することができる。
【図面の簡単な説明】
【０００７】
【図１】本発明の桟橋再構築工程の説明図。
【図２】本発明の桟橋再構築工程の説明図。
【図３】本発明の桟橋再構築工程の説明図。
【図４】本発明の桟橋再構築工程の説明図。
【図５】本発明の桟橋再構築工程の説明図。
【図６】本発明の桟橋再構築工程の説明図。
【図７】本発明の桟橋再構築の完成した状態の説明図。
【図８】本発明の桟橋再構築の完成した状態の説明図。
【発明を実施するための形態】
【０００８】
以下図面を参照にしながら本発明の桟橋再構築工程の好適な実施の形態を詳細に説明する。
【実施例】
【０００９】
＜１＞前提条件
特に本発明の対象は、岸壁に沿って鋼管などを打設した矢板壁１が構築してあり、その矢板壁１に支持力を得て構築した桟橋を再構築する方法、あるいはその場合の桟橋の構造に関するものである。
したがって本発明の桟橋の再構築方法は、矢板壁１の杭や、矢板壁１とは独立した位置に打設してある支持杭３など、既設の矢板壁１や支持杭３をそのまま利用する工法である。
その場合に前記したように、杭頭の位置は必ずしも設計図通りに正確ではなく、誤差が生じている可能性が高いことを前提としている。
【００１０】
＜２＞ブラケットの取り付け（図１）
既設の矢板壁１の頭部にブラケット２を取り付ける。
この矢板壁１は、鋼管杭、コンクリート杭を並べて打設して構築した壁体である。
矢板壁１の頭部に取り付けるブラケット２は、後述する型枠を支持するための鋼製部材である。
既設の杭が鋼管杭の場合には、その側面に溶接して取り付ける。
既設の杭がコンクリート杭の場合には側面に削孔してボルトなどを挿入してブラケット２を取り付ける。
このブラケット２を、複数本の矢板壁１に共通した高さに取り付ける。
矢板壁１と対向する位置には独立した支持杭３が打設してある。
この支持杭３の頭部にも、前記と同様にブラケット２を取り付ける。
矢板壁１の海側に位置する控え杭４にも同様にブラケット２を取り付ける。
【００１１】
＜３＞底板の設置（図２）
このブラケット２を介して、矢板壁１に共通する底板５を設置する。
矢板壁１と独立した支持杭３のブラケット２にも底板５を設置する。
この底板５は、後述するプレキャスト型枠を支持するための薄板であるから、その加工が容易である。
そのために杭頭の平面視の位置が不ぞろいでも、底板５の形状を加工することによって、複数の杭群に共通した状態で、水平面を維持した底板５を設置することができる。
【００１２】
＜４＞プレキャスト型枠の設置（図３）
矢板壁１の杭頭に取り付けた底板５の上に、工場で生産したプレキャスト型枠６を設置する。
プレキャスト型枠６とは工場生産したコンクリート板であり、鋼製型枠のようにコンクリート打設後に解体する必要がなく、コンクリート構造物の表面として一体となる。
このプレキャスト型枠６は、１枚の板体だけでなく、平面視矩形の容器状の型枠として構成することも可能である。
同様に、支持杭３の杭頭に取り付けた底板５の上にも、プレキャスト型枠６を設置する。
底板５群は前記した様に水平面を維持した状態で設置してあるから、プレキャスト型枠６の設置は簡単に行うことができる。
型枠６は杭頭を囲む状態で、その両側に設置するが、杭頭の位置が不ぞろいでも、型枠６の間隔を広くとっておけば、杭頭の位置が型枠６設置の障害となることがない。
このプレキャスト型枠６で包囲した空間には鉄筋を組み立てる。
【００１３】
＜５＞矢板頭ブロックの形成（図４）
矢板壁１の杭頭に共通した状態で設置したプレキャスト型枠６内に、間詰コンクリート７を投入、打設する。
間詰コンクリート７が硬化して、矢板壁１の頭部を一体化した矢板頭ブロック８を形成する。
矢板頭ブロック８にはコンクリート７打設前に、鉄筋とは別に、シース、ＰＣ鋼線、鋼棒を配置しておく。
コンクリート７の硬化後に、この鋼線、鋼棒を緊張することによって、多数本の杭群を一体化した矢板頭ブロック８を強固に一体化することができる。
【００１４】
＜６＞杭頭ブロックの形成（図４）
前記の矢板壁１と対向する位置に支持杭３が打設してある。
この支持杭３の頭部にも、前記と同様の工程でブラケット２を介して独立したプレキャスト型枠６を設置し、この型枠内に鉄筋を組み立てて、間詰コンクリート７を打設する。
この間詰コンクリート７が硬化して、支持杭３の頭部の杭頭ブロック９が形成される。
【００１５】
＜７＞ブロック間の距離
前記したように、既設の矢板壁１の杭頭と支持杭３の杭頭との間の距離は、打設時の施工誤差があって一定ではない。
しかしブラケット２に取り付けるプレキャスト型枠６の位置を、多少前後に変化させて微調整することによって、コンクリート７打設後の、矢板頭ブロック８と、杭頭ブロック９間の距離を調整することができる。
そのために、後述するように矢板頭ブロック８と杭頭ブロック９の間にプレキャスト梁１０を設置する場合に、工場製品であるプレキャスト梁１０の長さと、両ブロック間の距離を正確に一致させることができる。
【００１６】
＜８＞プレキャスト梁の設置（図５）
矢板頭ブロック８と杭頭ブロック９は対向した位置に設置してあり、前記したように対抗するブロック面間の距離は正確である。
そこで両者の間に、工場生産したプレキャスト梁１０を設置する。
このプレキャスト梁１０の内部には、長手方向に鉄筋とは別に、シース、ＰＣ鋼線、鋼棒を配置しておく。
その後に、矢板頭ブロック８、杭頭ブロック９と、プレキャスト梁１０との間を貫通させて配置したＰＣ鋼線Ｐを緊張して一体化する。
プレキャスト梁１０は、杭頭ブロック９の両側に、矢板壁１と平行方向にも取り付ける。
その場合にも、杭頭ブロック９とプレキャスト梁１０とを貫通させたＰＣ鋼線Ｐを緊張させることによって強固に一体化することができる。
【００１７】
＜９＞プレキャスト床版の設置（図６、７、８）
矢板頭ブロック８と杭頭ブロック９、およびプレキャスト梁１０の上に、沓座モルタルを打設し、ゴム支承を設置し、アンカーバーを設置する。
その上に、工場製品であるプレキャスト床版１１を搭載設置する。
こうして、既設の杭頭の位置が正確な設計線上にない場合でも、それらの誤差を吸収して、短時間で桟橋の再構築を終了することができる。
【符号の説明】
【００１８】
１：矢板壁１
２：ブラケット
３：支持杭
６：プレキャスト型枠
８：矢板頭ブロック
９：杭頭ブロック
１０：プレキャスト梁
１１：プレキャスト床版
【図１】
2014167216.tif 000003
【図２】
2014167216.tif 000004
【図３】
2014167216.tif 000005
【図４】
2014167216.tif 000006
【図５】
2014167216.tif 000007
【図６】
2014167216.tif 000008
【図７】
2014167216.tif 000009
【図８】
2014167216.tif 000010